(57)【要約】【課題】  お客様に心置きなく買い物に集中してもらうことができる手荷物預かりシステム、サーバ、手荷物預かり方法およびプログラムを提供する。【解決手段】  店舗端末１０が、預かった荷物の情報を入力し、バーコード情報を含む引換証を発行し、預かり所サーバ３０は、データベースに預かり品、手荷物会員の情報、回収した荷物の情報を格納し、預かり品回収端末５０は、荷物に付されたバーコード情報を読み取る。【選択図】  図１
2006350785.tif 000002
【特許請求の範囲】
【請求項１】
ネットワークを介して接続されている店舗端末と、預かり所サーバと、預かり品回収端末と、を含む手荷物預かりシステムであって、
前記店舗端末は、預かった荷物の情報を入力し、バーコード情報を含む引換証を発行し、
前記預かり所サーバは、預かり品、手荷物会員の情報、回収した荷物の情報を格納するデータベースを備え、
前記預かり品回収端末は、荷物に付されたバーコード情報を読み取ることを特徴とする手荷物預かりシステム。
【請求項２】
預かり所端末をさらに備えることを特徴とする請求項１記載の手荷物預かりシステム。
【請求項３】
前記データベースには配送する荷物の情報が格納され、
配送に必要な情報の取得、配送完了通知を行なう配送センター端末をさらに備えることを特徴とする請求項１または２記載の手荷物預かりシステム。
【請求項４】
預かり品、手荷物会員の情報、回収した荷物の情報を格納するデータベースを備え、
ネットワークを介して接続されている店舗端末、預かった荷物の情報を取得することを特徴とするサーバ。
【請求項５】
前記データベースには配送する荷物の情報が格納されることを特徴とする請求項４記載のサーバ。
【請求項６】
ネットワークを介して接続されている店舗端末と、預かり所サーバと、預かり品回収端末と、を利用した手荷物預かり方法であって、
前記店舗端末が、預かった荷物の情報を入力するステップと、
バーコード情報を含む引換証を発行するステップと、を有し、
前記預かり所サーバは、データベースに預かり品、手荷物会員の情報、回収した荷物の情報を格納するステップを有し、
前記預かり品回収端末は、荷物に付されたバーコード情報を読み取るステップを有することを特徴とする手荷物預かり方法。
【請求項７】
預かり所端末をさらに備えることを特徴とする請求項６記載の手荷物預かり方法。
【請求項８】
前記預かり所サーバが、前記データベースに配送する荷物の情報を格納するステップをさらに有し、
配送センター端末が、配送に必要な情報を取得するステップと、
配送完了通知を行なうステップと、をさらに有することを特徴とする請求項６または７記載の手荷物預かり方法。
【請求項９】
店舗端末に、預かった荷物の情報を入力するステップと、
バーコード情報を含む引換証を発行するステップと、を実行させ、
前記預かり所サーバに、データベースに預かり品、手荷物会員の情報、回収した荷物の情報を格納するステップを実行させ、
前記預かり品回収端末に、荷物に付されたバーコード情報を読み取るステップを実行させることを特徴とするプログラム。
【請求項１０】
預かり所端末に所定の処理を実行させることを特徴とする請求項９記載のプログラム。
【請求項１１】
前記預かり所サーバに、前記データベースに配送する荷物の情報を格納するステップをさらに実行させ、
配送センター端末に、配送に必要な情報を取得するステップと、
配送完了通知を行なうステップと、をさらに実行させることを特徴とする請求項９または１０記載のプログラム。
【発明の詳細な説明】
【技術分野】
【０００１】
本発明は、デパート・百貨店などでお客様の買い物した荷物を店毎に会計時に預かり、出口で引き渡すことができる手荷物預かりシステム、サーバ、手荷物預かり方法およびプログラムに関する。
【背景技術】
【０００２】
現在の日本ではデパートや百貨店に行けばたくさんの品物が溢れ、消費者はその中から自分の好みに合ったものを探さなければならない。
【０００３】
買い物は人々の楽しみの一つであり、生活していく上でなくてはならないものである。
【０００４】
しかし、買い物を進めていくうちに荷物が増え買い物に集中できなくなる場合がある。
【０００５】
ここで、複数の荷物預け入れ庫を備えた荷物預け入れ領域と、該荷物預け入れ領域とは離間した場所に設けられ荷物取り出し庫を備えた荷物取り出し領域と、複数の保管庫を備えた荷物保管領域と、前記荷物預け入れ領域と荷物取り出し領域と荷物保管領域との間で荷物を搬送する空コンテナ搬送コンベア、実コンテナ搬送コンベア、スタッカクレーン等からなる搬送手段とを設けることにより、物運搬の労力を軽減することのできるロッカーシステムを提供することができる技術が提案されている（例えば、特許文献１参照）。
【特許文献１】特開２０００−３４４３０４号公報
【発明の開示】
【発明が解決しようとする課題】
【０００６】
しかしながら、上述した従来例においては次のような問題点があった。
【０００７】
預かり所に荷物を預けようとした場合、従来のデパートや百貨店の預かり所というと、入り口付近にある場合が少なかったり、預かり所自体が無い場合もあった。
【０００８】
また、預けたい物があってもその都度手荷物預かり所に行かなければならなく、預けるための手続き・手数がかかるため大変面倒だった。
【０００９】
そこで、本発明は、お客様に心置きなく買い物に集中してもらうことができる手荷物預かりシステム、サーバ、手荷物預かり方法およびプログラムを提供することを目的とする。
【課題を解決するための手段】
【００１０】
請求項１記載の発明は、ネットワークを介して接続されている店舗端末と、預かり所サーバと、預かり品回収端末と、を含む手荷物預かりシステムであって、店舗端末は、預かった荷物の情報を入力し、バーコード情報を含む引換証を発行し、預かり所サーバは、預かり品、手荷物会員の情報、回収した荷物の情報を格納するデータベースを備え、預かり品回収端末は、荷物に付されたバーコード情報を読み取ることを特徴とする手荷物預かりシステムである。
【００１１】
請求項２記載の発明は、請求項１記載の手荷物預かりシステムにおいて、預かり所端末をさらに備えることを特徴とする。
【００１２】
請求項３記載の発明は、請求項１または２記載の手荷物預かりシステムにおいて、データベースには配送する荷物の情報が格納され、配送に必要な情報の取得、配送完了通知を行なう配送センター端末をさらに備えることを特徴とする。
【００１３】
請求項４記載の発明は、預かり品、手荷物会員の情報、回収した荷物の情報を格納するデータベースを備え、ネットワークを介して接続されている店舗端末、預かった荷物の情報を取得することを特徴とするサーバである。
【００１４】
請求項５記載の発明は、請求項４記載のサーバにおいて、データベースには配送する荷物の情報が格納されることを特徴とする。
【００１５】
請求項６記載の発明は、ネットワークを介して接続されている店舗端末と、預かり所サーバと、預かり品回収端末と、を利用した手荷物預かり方法であって、店舗端末が、預かった荷物の情報を入力するステップと、バーコード情報を含む引換証を発行するステップとを有し、預かり所サーバは、データベースに預かり品、手荷物会員の情報、回収した荷物の情報を格納するステップを有し、預かり品回収端末は、荷物に付されたバーコード情報を読み取るステップを有することを特徴とする手荷物預かり方法である。
【００１６】
請求項７記載の発明は、請求項６記載の手荷物預かり方法において、預かり所端末をさらに備えることを特徴とする。
【００１７】
請求項８記載の発明は、請求項６または７記載の手荷物預かり方法において、預かり所サーバが、データベースに配送する荷物の情報を格納するステップをさらに有し、配送センター端末が、配送に必要な情報を取得するステップと、配送完了通知を行なうステップと、をさらに有することを特徴とする。
【００１８】
請求項９記載の発明は、店舗端末に、預かった荷物の情報を入力するステップと、バーコード情報を含む引換証を発行するステップとを実行させ、預かり所サーバに、データベースに預かり品、手荷物会員の情報、回収した荷物の情報を格納するステップを実行させ、預かり品回収端末に、荷物に付されたバーコード情報を読み取るステップを実行させることを特徴とするプログラムである。
【００１９】
請求項１０記載の発明は、請求項９記載のプログラムにおいて、預かり所端末に所定の処理を実行させることを特徴とする。
【００２０】
請求項１１記載の発明は、請求項９または１０記載のプログラムにおいて、預かり所サーバに、データベースに配送する荷物の情報を格納するステップをさらに実行させ、配送センター端末に、配送に必要な情報を取得するステップと、配送完了通知を行なうステップとをさらに実行させることを特徴とする。
【発明の効果】
【００２１】
本発明の手荷物預かりシステム、サーバ、手荷物預かり方法およびプログラムによれば、お客様に心置きなく買い物に集中してもらうことができる。
【発明を実施するための最良の形態】
【００２２】
次に、本発明の一実施の形態について図を参照して詳細に説明する。
【００２３】
図１を参照すると、本実施の形態における手荷物預かりシステムは、店舗端末１０と、預かり所端末２０と、預かり所サーバ３０と、配送センター端末４０と、預かり品回収端末５０から構成されている。また、店舗端末１０、預かり所端末２０、預かり所サーバ３０、配送センター端末４０および預かり品回収端末５０は、プログラム制御により動作し、ネットワーク１００を介して相互に接続されている。ネットワーク１００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００２４】
ここで、店舗の端末１０は、店舗等に設置されるパーソナルコンピュータ、携帯電話機などの情報処理装置である。
【００２５】
店舗の端末１０は、お客様から預かった登録情報を入力し、引換証を発行する機能を有している。すべての情報はネットワーク１００を通じて預かり所サーバ３０に送信される。
【００２６】
また、手荷物会員の登録も店舗の端末１０から行なうことができる。なお、手荷物会員になっているお客様の情報は預かり所サーバ３０から受け取ることができる。
【００２７】
預かり所端末２０は、例えば、デパート等の各階に設けられる情報処理装置であり、機能は店舗の端末１０と同様であるので重複する説明は省略する。各店舗で渡しそびれてしまった荷物も個別に預けることができる。
【００２８】
預かり所サーバ３０は、店舗端末1０、預かり所端末２０、配送センター端末４０および預かり品回収端末５０から送られてきた情報を一括管理する情報処理装置であり、例えば、ワーク・ステーション等である。預かり所サーバ３０が設置された場所で、運ばれてきた荷物の確認等がなされる。
【００２９】
預かり所サーバ３０は、預かり所サーバ３０データベースを備え、預かり品、手荷物会員の情報、配送する荷物の情報、回収した荷物の情報などを格納する機能を有している。
【００３０】
図２を参照すると、預かり所サーバ３０データベースにはお預かり荷物情報２０１と、手荷物会員情報２０２と、配送情報２０３と、店舗情報２０４が格納されている。
【００３１】
お預かり荷物情報２０１には、お客様から現在お預かりしている荷物、お客様のお名前、住所および連絡先が格納されている。また、手荷物会員情報２０２には、お申し込み受付時にもらったお客様情報、過去の利用履歴およびバーコード情報が格納されている。
【００３２】
配送情報２０３には、お客様が配送希望なされた荷物とお届け先などの配送記録が格納されている。また、店舗情報２０４には、各店舗でお預かりした荷物情報および店舗で対応する店員の情報が格納されている。
【００３３】
配送センター端末４０は、配送センター側に設置されるパーソナルコンピュータ、携帯電話機などの情報処理装置である。
【００３４】
預かり所サーバ３０からネットワーク１００を通じて送られてきた荷物を配送するために必要な配送情報を受け取る機能や、配送完了通知を預かり所サーバ３０に送信する機能を有している。
【００３５】
預かり品回収端末５０は、回収者側が利用する情報処理装置である。バーコードリーダとタッチパネル式の端末画面によって構成される。
【００３６】
店舗で預かった荷物は定期的に回収され、回収をした場合は預かり品回収端末５０が、荷物に付されたバーコード情報を読み取る。なお、回収情報はネットワーク１００を通じて預かり所サーバ３０に送信される。また、照合も行なうのでお客様の荷物が確実に回収されたか否かを確認することができる。
【００３７】
次に、図を参照して、本実施の形態における荷物を預かり、配送するする処理動作のフローについて説明する。
【００３８】
最初に、図３を参照して、お客様が荷物を預ける手順のフローを説明する。
【００３９】
まず、お客様は買い物をした際に、預けたい荷物がある場合は店員にその旨を告げる。お客様に、図５に示すような手荷物預かり用紙に氏名、住所、連絡先を記入してもらい、荷物を預かる（Ｓ３０１）。
【００４０】
その際に、各店舗係員はその情報を元に、店舗端末１０から手荷物預かり登録画面に接続し、お客様情報と荷物情報を預かり所サーバ３０に送信する。預かり所サーバ３０で会員登録が既になされているか否かが判定され、会員登録が既になされている場合には（Ｓ３０２）、
【００４１】
一方、会員登録が既になされていない、一般のお客様の場合は、会員登録するかどうかの希望に従い、希望しない場合には、例えば、図６に示すような手荷物預かり登録画面から登録を行なう（Ｓ３０４）。
【００４２】
登録すると預かり所サーバ３０からお客様に発行する引換証につけるバーコード情報が送られてくるので、その情報を元に店舗端末１０、階預かり所端末２０から、例えば、図８に示すようなバーコードをつけた引換証が発行される（Ｓ３０５）。この引換証には預かり日時、引渡し場所、引渡し時刻、預かり品が記載されている。
【００４３】
また、既に手荷物会員の場合は、例えば、図７に示すような手荷物預かり登録画面からか登録を行なう（Ｓ３０６）。その場合は会員カードのバーコードを読み取り、預かり商品名と受け付け担当者の番号の登録のみでよい。なお、荷物の運搬などの時間も考慮し、引渡し時刻は最後の買い物から所定の時間、例えば、３０分以上空けることとしてもよい。
【００４４】
また、ここで有料の手荷物会員への入会を希望する場合は（Ｓ３０３）、お客様に例えば、図９に示すような手荷物会員登録用紙へ記入してもらい、各店舗係員はその情報を元に店舗端末１０、預かり所端末２０から、例えば、図１０に示すような手荷物会員登録画面に接続する。
【００４５】
預かった情報を登録し、お客様情報を預かり所サーバ３０に送信すると、預かり所サーバ３０はそれらの情報を格納し、お客様に発行する手荷物会員カードにつけるバーコード情報を店舗端末１０、預かり所端末２０に送る。店舗端末１０、預かり所端末２０では、その情報を元に、例えば、図９に示すような会員カードを発行する。
【００４６】
手荷物会員カードにはバーコードが付されており、店舗端末１０からバーコード情報を読み取らせることによりお客様情報を取り出すことができる。
【００４７】
会員になれば、預けるときも受け取るときも会員証を店舗端末１０、預かり所端末２０に読み取らせるだけで簡単に手続きが行なえる。また、預かり所から配送も行なっているので配送料が通常よりも割引きになる。さらに、店舗からのお得なダイレクトメールをもらうことも可能である。なお、手荷物会員の情報は預かり所サーバ３０で一括管理するものとする。
【００４８】
２軒目以降は引換証を店員に渡せば、図１０に示すような更新された新しい引換証をもらえ、荷物を預けることができる。その際に店舗端末１０、預かり所端末２０では、渡された引換証のバーコード部分を読み取りお客様情報を預かり所サーバ３０から引き出す。そして新しく預かる荷物の情報を店舗端末１０、預かり所端末２０から入力する。買い物をして店舗で預けたい場合は店舗端末１０、店舗で渡しそびれてしまった場合は各階に設置されている預かり所端末２０に預けることが可能である。
【００４９】
以降、お客様は、買い物を続け（Ｓ３０９）、預かり所では、配送業者等への荷物の引渡しがなされ（Ｓ３１０）、配送される（Ｓ３１１、３１２）が、その詳細は、以下で述べる。
【００５０】
次に、図４を参照して、荷物が預けられてから配送されるまでの手順のフローを説明する。
【００５１】
まず、ステップＳ４０１〜４０４までは、上記の図３における説明で理解可能であるため、その詳細は省略する。
【００５２】
預かった荷物は定期的に回収される（Ｓ４０５）。回収の際には預かり品回収端末５０にて荷物についた荷札のバーコード情報を読み取るだけでいい。例えば、図１３に示すような画面で登録を選択すると、預かり品回収端末５０から預かり所サーバ３０に回収完了通知が送信される。回収は、所定のタイミング、例えば１５分に１回ほどの頻度で行なわれることであってもよい。
【００５３】
この時、回収した荷物から読み取ったバーコードの情報と、預かり所サーバ３０で管理している現在お預かりしている荷物の情報が照合される（Ｓ４０６）。万が一、情報が一致しない場合はエラーになり、一致しなかった荷物の情報が表示されるので店舗側と回収する側で確認を行なう。これにより、回収し忘れや預かり時の登録忘れがないかどうかを確認できる。
【００５４】
また店舗に回収する荷物があるかどうかは、事前に預かり品回収端末５０から預かり所サーバ３０に接続することにより、図１３に示すような画面から確認することができるので、預かり品の無い店舗に行く手間を省くことができる。
【００５５】
回収が終わったら預かり品を預かり所に届ける。その際に預かり所サーバ３０では、回収されてきた荷物につけられた荷札のバーコード情報を読み取り、店舗端末１０、預かり所端末２０から送られてきた荷物情報、預かり品回収端末５０から送られてきた回収完了通知と照合し、お客様からお預かりした荷物に回収し忘れや登録漏れが無いかを最終確認する。
【００５６】
引渡しの際は、お客様から引換証、もしくは手荷物会員証を受け取り、バーコード情報を読み取る。例えば、図１４に示すような引渡し確認画面を呼び出し、預かり荷物を確認し、預かっていた荷物をお渡しする。引渡しが完了したら、引渡し確認画面から完了登録を行なう。
【００５７】
原則として引き渡しは引き渡し時間を過ぎてからだが、その前にも渡せる準備ができていれば渡すことができる。また、店舗側は引き渡し時間までには必ず渡せるようにしているが、万が一、その日にお引取りが無かった場合は、所定の期間、例えば、１週間預かり所で保管する。お客様が忘れている場合もあるので翌日に連絡先に架電し、その旨を伝えるが、所定の期間、例えば、１週間たっても連絡や来店の無い場合は廃棄することであってもよい。
【００５８】
荷物を配送する際は、例えば、図１５に示すような配送登録画面から配送登録を行なう（Ｓ４０７）。ここで、配送登録を行なう場合は、図１４の引き渡し確認画面で「配送」を選択する。会員番号や依頼主、お届け先はお引渡しするときに伺った情報と変更が無ければ何も入力しなくてもよい。お届け先に変更がある場合は入力する。また、希望の時間帯があれば入力する。
【００５９】
配送には別途、配送料が必要になるが、手荷物会員は配送料が割引になるような運用がなされてもよい。配送の場合は、お届けする荷物と、お届け先、お客様のお名前を配送登録画面にて登録する。なお、登録した情報は、配送センター端末４０に送られ、荷物は配送される。
【００６０】
配送センター端末４０側では、依頼された情報に従い、配送を行ない、配送が完了したらその配送完了通知を預かり所サーバ３０に通知し（Ｓ４０８）、預かり所サーバ３０は、配送完了情報を格納する（Ｓ４０９）。
【００６１】
上記の実施の形態によれば、お客様がより快適に買い物を楽しむことができ、買い物が楽になるという点からまたここに買いに来ようという気分になる。特に、子供連れやお年寄りの方に効果的である。
【００６２】
また、荷物がない開放感から、よりたくさんの商品を買っていただけるというメリットもある。これには、自分で荷物を持っているとどれくらい買ったのか一目瞭然だが、手に持っていないと判断しづらいのでついついたくさん買ってしまうことも含まれる。
【００６３】
また、手荷物会員になれば預けるときの手続きを省け、配送料の割引などの特典が受けられる。お得な情報をメールで配信することにより、宣伝につながる。
【００６４】
また、店舗側での面倒な登録、確認作業をせずにすむ。
【００６５】
また、荷物を回収する際は、預かり品回収端末上で現在お預かりしている荷物情報を確認することができるので、荷物があるかどうかわざわざ店舗まで行って確認する手間が省ける。
【００６６】
また、ネットワーク上で何度も認証を行なっているので、お客様の荷物を確実に管理することができる。
【００６７】
なお、上述する各実施の形態は、本発明の好適な実施の形態であり、本発明の要旨を逸脱しない範囲内において種々変更実施が可能である。例えば、上記の実施の形態における店舗端末１０、預かり所端末２０、預かり所サーバ３０、配送センター端末４０および預かり品回収端末５０の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００６８】
上述する各実施の形態は、店舗端末１０、預かり所端末２０、預かり所サーバ３０、配送センター端末４０および預かり品回収端末５０が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【００６９】
【図１】本発明の実施形態における手荷物預かりシステムの概略構成図である。
【図２】預かり所サーバのデータベースの詳細図である。
【図３】お客様が荷物を預ける手順のフローを説明する図である。
【図４】荷物が預けられてから配送されるまでの手順のフローを説明する図である。
【図５】手荷物預かり登録用紙の一例を示す図である。
【図６】預かり品登録画面の一例を示す図である。
【図７】手荷物預かり登録画面の一例を示す図である。
【図８】引換証の一例を示す図である。
【図９】手荷物会員登録用紙の一例を示す図である。
【図１０】手荷物会員登録画面の一例を示す図である。
【図１１】手荷物会員カードの一例を示す図である。
【図１２】２回目以降の引換証の一例を示す図である。
【図１３】預かり品回収画面の一例を示す図である。
【図１４】引渡し完了登録画面の一例を示す図である。
【図１５】配送登録画面の一例を示す図である。
【符号の説明】
【００７０】
１０    店舗端末
２０    預かり所端末
３０    預かり所サーバ
４０    配送センター端末
５０    預かり品回収端末
１００    ネットワーク
【図１】
2006350785.tif 000003
【図２】
2006350785.tif 000004
【図３】
2006350785.tif 000005
【図４】
2006350785.tif 000006
【図５】
2006350785.tif 000007
【図６】
2006350785.tif 000008
【図７】
2006350785.tif 000009
【図８】
2006350785.tif 000010
【図９】
2006350785.tif 000011
【図１０】
2006350785.tif 000012
【図１１】
2006350785.tif 000013
【図１２】
2006350785.tif 000014
【図１３】
2006350785.tif 000015
【図１４】
2006350785.tif 000016
【図１５】
2006350785.tif 000017